(57)【特許請求の範囲】
【請求項１】
多入力多出力（ＭＩＭＯ）システムにおいて使用するために複数の周波数サブバンドの中から一の周波数サブバンドを選択する方法であって、通信は、第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われ、
複数の連続するトレーニングパケットを前記第２の通信デバイスにおいて受信する段階であって、ｉ）前記複数の連続するトレーニングパケットの各々は、異なる周波数サブバンドの各々において異なる時間に前記第１の通信デバイスによって送信されたものであり、ｉｉ）前記複数の連続するトレーニングパケットは、前記第１の通信デバイスにおいて、前記第１の複数のＲＦチェーンにパワーレベルルールを適用することによって前記第１の通信デバイスにおいて生成されたものである、第２の通信デバイスにおいて受信する段階と、
前記パワーレベルルールに基づいて前記複数の連続するトレーニングパケットに対応する各チャネル測定を前記第２の通信デバイスにおいて決定する段階と、
前記各チャネル測定に基づいて特定の周波数サブバンドを前記第２の通信デバイスにおいて選択する段階と、
前記第１の通信デバイスに向けて、前記特定の周波数サブバンドの指標を前記第２の通信デバイスで送信する段階と、を備える
方法。
【請求項２】
前記パワーレベルルールは、前記複数の連続するトレーニングパケットの各々に対して同じパワーレベルを使用する前記第１の複数のＲＦチェーンの各々に対応する
請求項１に記載の方法。
【請求項３】
前記第１の複数のＲＦチェーン中の全てのＲＦチェーンのために適用される複数のパワーレベルの合計に対応する前記パワーレベルルールは、前記複数の連続するトレーニングパケットのそれぞれについて一定である
請求項１または２に記載の方法。
【請求項４】
前記第１の通信デバイスに前記特定の周波数サブバンドの前記指標を送信する段階は、前記複数の連続するトレーニングパケットを受信する段階に応答して行われる
請求項１から３の何れか一項に記載の方法。
【請求項５】
第１の複数のアンテナに連結される第１の複数の無線周波数（ＲＦ）チェーンと、
コントローラと、を備える第１の通信デバイスであり、前記コントローラは、
前記第１の複数のＲＦチェーンを介して受信される複数の連続するトレーニングパケットであって、ｉ）前記複数の連続するトレーニングパケットの各々は、異なる周波数サブバンドの各々において異なる時間に第２の複数のアンテナを有する第２の通信デバイスによって送信されたものであり、ｉｉ）前記複数の連続するトレーニングパケットは、前記第２の通信デバイスにおいて、前記第２の通信デバイスの第２の複数のＲＦチェーンにパワーレベルルールを適用することによって、前記第２の通信デバイスにおいて生成されたものである、複数の連続するトレーニングパケット、に対応する各チャネル測定を前記パワーレベルルールに基づいて決定し、
前記各チャネル測定に基づいて特定の周波数サブバンドを選択し、
前記第２の通信デバイスに向けて、前記特定の周波数サブバンドの指標を前記第１の通信デバイスに送信させる
第１の通信デバイス。
【請求項６】
前記パワーレベルルールは、前記複数の連続するトレーニングパケットの各々に対して同じパワーレベルを使用する前記第２の複数のＲＦチェーンの各々に対応する
請求項５に記載の第１の通信デバイス。
【請求項７】
前記第２の複数のＲＦチェーン中の全てのＲＦチェーンのために適用される複数のパワーレベルの合計に対応する前記パワーレベルルールは、前記複数の連続するトレーニングパケットのそれぞれについて一定である
請求項５または６に記載の第１の通信デバイス。
【請求項８】
前記コントローラは、前記第１の通信デバイスが前記複数の連続するトレーニングパケットを受信することに応答して、前記第２の通信デバイスに向けて前記特定の周波数サブバンドの前記指標を前記第１の通信デバイスに送信させる
請求項５から７の何れか一項に記載の第１の通信デバイス。
【請求項９】
第１の複数のアンテナ、
第１の複数の無線周波数（ＲＦ）チェーン、および
第１のコントローラ、
を有する第１の通信デバイスであり、
前記第１のコントローラは、
パワーレベルルールが前記第１の複数のＲＦチェーンに適用される間、各々が異なる周波数サブバンドの各々において異なる時間に送信される複数の連続するトレーニングパケットを前記第１の複数のＲＦチェーンを介して前記第１の通信デバイスに送信させる第１の通信デバイスと、
第２の複数のアンテナ、
第２の複数の無線周波数（ＲＦ）チェーン、および
第２のコントローラを有する第２の通信デバイスであり、
前記第２のコントローラは、
前記第２の複数のＲＦチェーンを介して受信される前記複数の連続するトレーニングパケットに対応する各チャネル測定を前記パワーレベルルールに基づいて決定し、
前記各チャネル測定に基づいて特定の周波数サブバンドを選択し、
前記第１の通信デバイスに向けて、前記特定の周波数サブバンドの指標を前記第２の通信デバイスに送信させる第２の通信デバイスと、を備える
システム。
【請求項１０】
前記パワーレベルルールは、前記複数の連続するトレーニングパケットの各々に対して同じパワーレベルを使用する前記第１の複数のＲＦチェーンの各々に対応する
請求項９に記載のシステム。
【請求項１１】
前記第１の複数のＲＦチェーン中の全てのＲＦチェーンのために適用される複数のパワーレベルの合計に対応する前記パワーレベルルールは、前記複数の連続するトレーニングパケットのそれぞれについて一定である
請求項９または１０に記載のシステム。
【請求項１２】
前記第１のコントローラは、前記第２の通信デバイスから前記周波数サブバンドの前記指標を受信することに応答して前記第２の通信デバイスに送信するときに前記第１の通信デバイスに前記特定の周波数サブバンドを使用させる
請求項９から１１の何れか一項に記載のシステム。
【請求項１３】
前記第２のコントローラは、前記第２の通信デバイスが前記複数の連続するトレーニングパケットを受信することに応答して、前記第１の通信デバイスに向けて前記特定の周波数サブバンドの前記指標を前記第２の通信デバイスに送信させる
請求項９から１２の何れか一項に記載のシステム。
【請求項１４】
多入力多出力（ＭＩＭＯ）システムにおいて使用するために複数の周波数サブバンドの中から周波数サブバンドを選択する方法であって、通信は、第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われ、
複数の連続するトレーニングパケットを前記第２の通信デバイスにおいて受信する段階であって、ｉ）前記複数の連続するトレーニングパケットの各々は、異なる周波数サブバンドの各々において異なる時間に前記第１の通信デバイスによって送信されたものであり、ｉｉ）前記複数の連続するトレーニングパケットは、前記第１の通信デバイスにおいて、前記第１の複数のＲＦチェーンにパワーレベルルールを適用することによって前記第１の通信デバイスにおいて生成されたものである、前記第２の通信デバイスにおいて受信する段階と、
前記パワーレベルルールに基づいて前記複数の連続するトレーニングパケットに対応する各チャネル測定を前記第２の通信デバイスにおいて決定する段階と、
前記第１の通信デバイスに前記各チャネル測定を前記第２の通信デバイスで送信する段階と、を備える
方法。
【請求項１５】
前記パワーレベルルールは、前記複数の連続するトレーニングパケットの各々に対して同じパワーレベルを使用する前記第１の複数のＲＦチェーンの各々に対応する
請求項１４に記載の方法。
【請求項１６】
前記第１の複数のＲＦチェーン中の全てのＲＦチェーンのために適用される複数のパワーレベルの合計に対応する前記パワーレベルルールは、前記複数の連続するトレーニングパケットのそれぞれについて一定である
請求項１４または１５に記載の方法。
【請求項１７】
第１の通信デバイスであって、
第１の複数のアンテナに連結される第１の複数の無線周波数（ＲＦ）チェーンと、
コントローラと、を備え、
前記コントローラは、前記第１の複数のＲＦチェーンを介して受信される複数の連続するトレーニングパケットであって、ｉ）前記複数の連続するトレーニングパケットの各々は、異なる周波数サブバンドの各々において異なる時間に第２の複数のアンテナを有する第２の通信デバイスによって送信されたものであり、ｉｉ）前記複数の連続するトレーニングパケットは、前記第２の通信デバイスにおいて、前記第２の通信デバイスの第２の複数のＲＦチェーンにパワーレベルルールを適用することによって前記第２の通信デバイスにおいて生成されたものである、複数の連続するトレーニングパケット、に対応する各チャネル測定を前記パワーレベルルールに基づいて決定し、前記第２の通信デバイスに向けて、各チャネル測定を前記第１の通信デバイスに送信させる
第１の通信デバイス。
【請求項１８】
前記パワーレベルルールは、前記複数の連続するトレーニングパケットの各々に対して同じパワーレベルを使用する前記第２の複数のＲＦチェーンの各々に対応する
請求項１７に記載の第１の通信デバイス。
【請求項１９】
前記第２の複数のＲＦチェーン中の全てのＲＦチェーンのために適用される複数のパワーレベルの合計に対応する前記パワーレベルルールは、前記複数の連続するトレーニングパケットのそれぞれについて一定である
請求項１７または１８に記載の第１の通信デバイス。
【請求項２０】
第１の複数のアンテナ、
第１の複数の無線周波数（ＲＦ）チェーン、および
第１のコントローラを有する第１の通信デバイスであり、
前記第１のコントローラは、
パワーレベルルールが前記第１の複数のＲＦチェーンに適用される間、各々が異なる周波数サブバンドの各々において異なる時間に送信される複数の連続するトレーニングパケットを前記第１の複数のＲＦチェーンを介して前記第１の通信デバイスに送信させる第１の通信デバイスと、
第２の複数のアンテナ、
第２の複数の無線周波数（ＲＦ）チェーン、および
第２のコントローラを有する第２の通信デバイスであり、
前記第２のコントローラは、
前記第２の複数のＲＦチェーンを介して受信される前記複数の連続するトレーニングパケットに対応する各チャネル測定を前記パワーレベルルールに基づいて決定し、
前記第１の通信デバイスに向けて、前記各チャネル測定を前記第２の通信デバイスに送信させる第２の通信デバイスと、を備える
システム。
【請求項２１】
前記パワーレベルルールは、前記複数の連続するトレーニングパケットの各々に対して同じパワーレベルを使用する前記第１の複数のＲＦチェーンの各々に対応する
請求項２０に記載のシステム。
【請求項２２】
前記第１の複数のＲＦチェーン中の全てのＲＦチェーンのために適用される複数のパワーレベルの合計に対応する前記パワーレベルルールは、前記複数の連続するトレーニングパケットのそれぞれについて一定である
請求項２０または２１に記載のシステム。
【請求項２３】
前記第１のコントローラは、
前記各チャネル測定に基づいて特定の周波数サブバンドを選択し、
前記特定の周波数サブバンドを選択することに応答して前記第２の通信デバイスに送信するときに前記第１の通信デバイスに前記特定の周波数サブバンドを使用させる
請求項２０から２２の何れか一項に記載のシステム。
【発明の詳細な説明】
【技術分野】
【０００１】
［関連出願の相互参照］
本願は、２００８年２月１日出願の「Ｃｈａｎｎｅｌ  Ｓｏｕｎｄｉｎｇ  ａｎｄ  Ｅｓｔｉｍａｔｉｏｎ  Ｓｔｒａｔｅｇｉｅｓ  ｆｏｒ  Ａｎｔｅｎｎａ  Ｓｅｌｅｃｔｉｏｎ  ｉｎ  ＭＩＭＯ  Ｓｙｓｔｅｍｓ」と題する米国仮出願第６１／０２５，５１９号の恩恵を主張する、２００９年１月３０日出願の「Ｃｈａｎｎｅｌ  Ｓｏｕｎｄｉｎｇ  ａｎｄ  Ｅｓｔｉｍａｔｉｏｎ  Ｓｔｒａｔｅｇｉｅｓ  ｆｏｒ  Ａｎｔｅｎｎａ  Ｓｅｌｅｃｔｉｏｎ  ｉｎ  ＭＩＭＯ  Ｓｙｓｔｅｍｓ」と題する、現在は特許第８，４９８，３６２号である、米国特許出願第１２，３６３，２６９号の分割出願である２０１３年７月２９日出願の「Ｃｈａｎｎｅｌ  Ｓｏｕｎｄｉｎｇ  ａｎｄ  Ｅｓｔｉｍａｔｉｏｎ  Ｓｔｒａｔｅｇｉｅｓ  ｆｏｒ  Ａｎｔｅｎｎａ  Ｓｅｌｅｃｔｉｏｎ  ｉｎ  ＭＩＭＯ  Ｓｙｓｔｅｍｓ」と題する米国特許出願第１３／９５３，３５５号の一部継続出願である。さらに、本願は２０１３年６月１１日出願の「Ｃｈａｎｎｅｌ  Ｓｏｕｎｄｉｎｇ  ａｎｄ  Ｅｓｔｉｍａｔｉｏｎ  Ｓｔｒａｔｅｇｉｅｓ  ｉｎ  ＭＩＭＯ Ｓｙｓｔｅｍｓ」と題する米国仮出願第６１／８３３，５２２号の恩恵を主張する。上記参照された出願の全てはその全体が本明細書において参照としてここに組み込まれる。
【０００２】
本開示は、概して無線通信システムに関し、より具体的には、複数のアンテナを使用する複数の無線システムにおけるチャネルサウンディングおよびチャネル推定技術に関する。
【背景技術】
【０００３】
無線通信は、消費者の需要およびサービスにおいて大きく成長し続けている。セルラネットワークなどのワイドカバレッジエリアシステムが一般的なものであるが、「ＷｉＦｉ」、「ＩＥＥＥ８０２．１１ａ」、および「ＩＥＥＥ８０２．１１ｂ」のシステムなどのローカルエリアシステムも同様にますます一般的なものになってきている。実際、様々な無線技術が、例えば、ＩＥＥＥ規格８０２．１１ａ（１９９９）並びにその最新版並びに修正版、と、ＩＥＥＥ規格８０２．１１ｇ（２００３）と、ＩＥＥＥ規格８０２．１１ｎ、ＩＥＥＥ規格８０２．１１ａｃとを含む８０２．１１ＩＥＥＥ規格において詳細に説明される。それらの全ては参照によって完全に本明細書においてまとめて組み込まれる。特に複数のより最近の規格は、５４Ｍｂｐまたはより有効な帯域幅の保証によって商業化されてきた、またはその途中であり、それらを従来の有線のイーサネット（登録商標）およびより一般的な「８０２．１１ｂ」若しくは「ＷｉＦｉ」１１Ｍｂｐモバイル無線伝送規格に対する強い競争相手にする。
【０００４】
一般的に言えば、多数の無線通信システムはデータ伝送にマルチキャリア変調スキームを使用する。例えば、ＩＥＥＥ８０２．１１ａおよび８０２．１１ｇ若しくは「８０２．１１ａ／ｇ」、並びに８０２．１１ｎおよび８０２．１１ａｃの規格に準拠する複数の通信システムは、多数の比較的密接して離間された直交する複数のサブキャリアまたは複数のサブチャネル用いるデジタルマルチキャリア変調スキームである直交周波数分割多重（ＯＦＤＭ）を使用し得る。各サブキャリアは、直交振幅変調、位相シフトキーイング等のような変調スキームを使用して比較的低いシンボルレートで変調される。ＯＦＤＭシステムの各周波数サブバンドは、データをその内で送出するための独立した送信チャネルとみなされ得て、それにより、通信システムの全体的なスループットまたは送信レートを増大させる。たとえ特定のサブキャリアにおけるデータが低いシンボルレートで変調されても、多数のサブチャネルが、同じ帯域幅を使用するシングルキャリア変調スキームと同様の全体的なデータレートを提供する。
【０００５】
一般的に、上記８０２．１１ａ／８０２．１１ｇ／８０２．１１ｎ／８０２．１１ａｃ規格、並びに８０２．１６ａのＩＥＥＥ規格などの複数の他の規格に準拠する複数の無線通信システムにおいて使用される複数の送信機は、（エラー訂正符号化およびインターリーブを含み得る）マルチキャリアＯＦＤＭシンボル符号化を実行し、複数の逆高速フーリエ変換（ＩＦＦＴ）技術を使用して符号化されたシンボルを時間領域に変換し、複数の信号に対してデジタルアナログ変換および従来型の無線周波数（ＲＦ）アップコンバートを実行する。次に、これらの送信機は、適切な電力増幅後に変調されアップコンバートされた複数の信号を、１または複数の受信機に送信して、大きいピーク対平均値比（ＰＡＲ）を有する比較的高速の時間領域信号をもたらす。
【０００６】
同様に、上記８０２．１１ａ／８０２．１１ｇ／８０２．１１ｎ／８０２．１１ａｃおよび８０２．１６ａのＩＥＥＥ規格に準拠する複数の無線通信システムにおいて使用される複数の受信機は、一般的に、（１または複数のステージで実行され得る）複数の受信された信号のフィルタリングおよびＲＦダウンコンバートを実行するＲＦ受信ユニットと、対象のデータを有する複数のＯＦＤＭ符号化シンボルを処理するベースバンドプロセッサユニットとを含む。一般的に、周波数領域において提示される各ＯＦＤＭシンボルのデジタル形式は、受信された時間領域のアナログ信号の高速フーリエ変換、従来型のアナログデジタル変換、およびベースバンドダウンコンバートの後に復元される。
【０００７】
複数の無線通信システムにおいて、送信機によって生成される複数のＲＦ変調信号は、特性が典型的にはマルチパス現象およびフェイディング現象に起因して経時的に変化するいくつかの異なる伝播経路を介して特定の受信機に到達し得る。さらに、伝播チャネルの特性は、伝播の周波数に基づいて異なる、または変化する。複数の伝播効果の経時的に変化する周波数選択特質を補正すべく、および、一般的には、無線通信システムにおいて有効な符号化および変調を強化すべく、無線通信システムの各受信機は、上述された複数のＯＦＤＭサブバンドの各々に関連付けられる複数のチャネルなどの複数の周波数チャネルの各々についてのチャネル状態情報（ＣＳＩ）を周期的に作成または収集し得る。一般的に言えば、ＣＳＩは、複数のＯＦＤＭチャネルの各々についての１または複数の特性（例えば、各チャネルの利得、位相およびＳＮＲ）を定義する、または記す情報である。１または複数のチャネルのＣＳＩを決定すると、受信機はこのＣＳＩを送出して送信機に戻し、送信機は、各チャネルのＣＳＩを使用してそのチャネルを使用して送信される複数の信号を事前調整し、複数のチャネルの各々の変化する伝播効果の補正をする。
【０００８】
通信システムにおいて伝搬され得る信号の数をさらに増大させるべく、および／または、様々な伝播経路に関連付けられる複数の有害効果を補正すべく、複数の送信アンテナおよび受信アンテナが使用され得る。そのようなシステムは、一般に多入力多出力（ＭＩＭＯ）無線伝送システムと称され、特に、８０２．１１ｎおよび８０２．１１ａｃのＩＥＥＥ規格内で提供される。一般的に言えば、ＭＩＭＯ技術を使用することで、スペクトル効率およびリンク信頼性を著しく増大させ得て、これらの利点は、一般的に、ＭＩＭＯシステム内の送信アンテナおよび受信アンテナの数と共に増大する。
【０００９】
ＯＦＤＭの使用によって作成される複数の周波数チャネルに加えて、特定の送信機と特定の受信機との間の様々な送信アンテナおよび受信アンテナによって形成されるＭＩＭＯチャネルは、いくつかの独立した空間チャネルを含む。知られている通り、無線ＭＩＭＯ通信システムは、追加データの送信のためのこれらの空間チャネルによって作成される追加の次元を使用することによって改良された性能（例えば、増大された伝送容量）を提供できる。言うまでもなく、広帯域ＭＩＭＯシステムの複数の空間チャネルは、システム帯域幅全体にわたって複数の異なるチャネル条件（例えば、異なるフェイディングおよびマルチパス効果）を経験し得る。故に、広帯域ＭＩＭＯシステムの複数の空間チャネルは、システム帯域幅全体の複数の異なる周波数において（すなわち、複数の異なるＯＦＤＭ周波数サブバンドにおいて）複数の異なるＳＮＲを実現し得る。その結果として、特定のレベルの性能に対する各空間チャネルの複数の異なる周波数サブバンドを使用して送信され得る変調シンボル毎の情報ビットの数（すなわち、データレート）は、周波数サブバンド毎に異なり得る。
【００１０】
しかしながら、様々な異なる送信アンテナおよび受信アンテナを使用して、追加の情報が送出される複数の別個空間チャネルを形成する代わりに、ビームフォーミングまたはビームステアリングを実現すべく様々な送信アンテナに同じ信号が提供されるとき、この信号を調整（かつ増幅）しながら当該信号を送信するようＭＩＭＯシステムの様々な送信アンテナの各々を使用することによって、ＭＩＭＯシステムにおいてより良好な送信特性および受信特性が得られ得る。一般的に言えば、ビームフォーミングまたはビームステアリングは、１または複数の特定の方向において、（無指向性アンテナによって得られる利得と比較して）１または複数の高い利得のローブまたはビームを有する空間利得パターンを形成し、一方で、複数の他の方向において無指向性アンテナによって得られるものよりも利得を減少させる。利得パターンが複数の受信機アンテナの各々の方向において高い利得のローブを生成するよう構成される場合、ＭＩＭＯシステムは、特定の送信機と特定の受信機との間で、単一の送信機アンテナ／受信機アンテナシステムによって得られるものよりもより良好な送信信頼性を得ることができる。
【００１１】
適切なアンテナ選択（ＡＳＥＬ）は、複数のＭＩＭＯシステムにおいて所望のビームフォーミングおよびビームステアリングを達成するために重要である。ＩＥＥＥ８０２．１１ｎおよび８０２．１１ａｃの仕様書において概説されたものと同様の複数のＯＦＤＭシステムに関して、ＡＳＥＬは、特定のデータレート、データタイプ、チャネル等について送信機および／または受信機において複数の最適なアンテナ素子を選択し、次に、限定された数の送信機および受信機の無線周波数チェーンにそれらのアンテナ素子を切り替えることを含み得る。ＡＳＥＬ決定は、送信機側（ＴＸ  ＡＳＥＬ）トレーニング手順または受信機側（ＲＸ  ＡＳＥＬ）トレーニング手順のいずれかを含むＩＥＥＥ８０２．１１ｎ規格において定義されるチャネルトレーニング（サウンディング）手続きによって取得されるＣＳＩに基づき得る。このトレーニング手順を効果的に管理することによって、ＡＳＥＬは向上され得て、より良好な送信特性および受信特性が達成され得る。
【発明の概要】
【００１２】
ある実施形態において、方法は、多入力多出力（ＭＩＭＯ）システムにおいて送信パラメータを選択するためのものであり、通信は第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われる。当該方法は、第１の通信デバイスによって送信された複数の連続するトレーニングパケットであり、第１の通信デバイスにおいて第１の複数のＲＦチェーンにパワーレベルルールを適用することによって第１の通信デバイスにおいて生成された複数の連続するトレーニングパケットを第２の通信デバイスにおいて受信する段階と、パワーレベルルールに基づいて複数の連続するトレーニングパケットに対応する各チャネル測定を第２の通信デバイスにおいて決定する段階と、各チャネル測定に基づいて送信パラメータを第２の通信デバイスにおいて選択する段階と、第１の通信デバイスに、選択された送信パラメータを第２の通信デバイスで送信する段階とを含む。
【００１３】
別の実施形態において、第１の通信デバイスは第１の複数の無線周波数（ＲＦ）チェーンおよびコントローラを備え、第１の複数の無線周波数（ＲＦ）チェーンは第１の複数のアンテナに連結され、コントローラは、第１の複数のＲＦチェーンを介して受信される複数の連続するトレーニングパケットであり、ｉ）第２の複数のアンテナを有する第２の通信デバイスによって送信され、ｉｉ）第２の通信デバイスにおける第２の複数のＲＦチェーンにパワーレベルルールを第２の通信デバイスにおいて適用することによって、第２の通信デバイスにおいて生成された複数の連続するトレーニングパケット、に対応する各チャネル測定をパワーレベルルールに基づいて決定し、各チャネル測定に基づいて送信パラメータを選択し、第２の通信デバイスに向けて、選択された送信パラメータを第１の通信デバイスに送信させるよう構成される。
【００１４】
さらに別の実施形態において、システムは、第１の複数のアンテナと、第１の複数の無線周波数（ＲＦチェーン）と、パワーレベルルールが第１の複数のＲＦチェーンに適用される間、複数の連続するトレーニングパケットを第１の複数のＲＦチェーンを介して第１の通信デバイスに送信させるよう構成される第１のコントローラと、を有する第１の通信デバイスを備える。当該システムはまた、第２の複数のアンテナ、第２の複数の無線周波数（ＲＦ）チェーン、および第２のコントローラを有する第２の通信デバイスを備える。第２のコントローラは、第２の複数のＲＦチェーンを介して受信される複数の連続するトレーニングパケットに対応する各チャネル測定をパワーレベルルールに基づいて決定し、各チャネル測定に基づいて送信パラメータを選択し、第１の通信デバイスに向けて、選択された送信パラメータを第２の通信デバイスに送信させるよう構成される。
【図面の簡単な説明】
【００１５】
【図１】ある実施形態による、ＭＩＭＯ送信機およびＭＩＭＯ受信機が互いに通信できる例示的な無線通信構成のブロック図である。
【００１６】
【図２】ある実施形態による、送信機ベースのアンテナ選択（ＡＳＥＬ）決定において、ＭＩＭＯ送信機によって送出される複数の連続するサウンディングパケットを使用する例示的なＡＳＥＬトレーニング手順の図である。
【００１７】
【図３】ある実施形態による、受信機ベースのＡＳＥＬ決定において、複数の連続するサウンディングパケットを使用する別の例示的なＡＳＥＬトレーニング手順の図である。
【００１８】
【図４】ある実施形態による、フルサイズのＭＩＭＯチャネルに対する歪みを最小化すべく、受信機によって適用される複数のスケーリング係数を使用する例示的な受信機ベースのＡＳＥＬ決定のフロー図である。
【００１９】
【図５】ある実施形態による、送信機から送信される複数の信号においてパワーレベルを調整すべく複数のスケーリング係数および複数の利得係数を使用する例示的な送信機ベースのＡＳＥＬ決定のフロー図である。
【００２０】
【図６】第１の通信デバイスにおいて使用されるパワーレベルルールに基づいて送信パラメータを決定するための例示的な方法のフロー図である。
【００２１】
【図７Ａ】様々な実施形態による、本明細書において説明されるような複数の送信パラメータ決定技術を使用し得る高解像度テレビのブロック図である。
【００２２】
【図７Ｂ】様々な実施形態による、本明細書において説明されるような複数のＡＳＥＬ技術を使用し得る車両のブロック図である。
【００２３】
【図７Ｃ】様々な実施形態による、本明細書において説明されるような複数の送信パラメータ決定技術を使用し得る携帯電話のブロック図である。
【００２４】
【図７Ｄ】様々な実施形態による、本明細書において説明されるような複数の送信パラメータ決定技術を使用し得るセットトップボックスのブロック図である。
【００２５】
【図７Ｅ】様々な実施形態による、本明細書において説明されるような複数の送信パラメータ決定技術を使用し得るメディアプレーヤのブロック図である。
【００２６】
【図７Ｆ】様々な実施形態による、本明細書において説明されるような複数の送信パラメータ決定技術を使用し得るボイスオーバーＩＰ装置のブロック図である。
【発明を実施するための形態】
【００２７】
以下に説明されるものは、ＡＳＥＬを向上させるべく、ＭＩＭＯシステムにおいて使用され得る複数の例示的なチャネルサウンディングおよびチャネル推定技術である。それらの技術は、ＩＥＥＥ８０２．１１ｎに規定される、５６のサブキャリアに分割される２０ＭＨｚのチャネル化帯域幅、ＩＥＥＥ８０２．１１ａｃ規格に規定される、より多くのサブキャリアに分割される、４０ＭＨｚ、８０ＭＨｚ、１６０ＭＨｚのチャネル帯域幅を有する複数の信号でデータを送出する複数のＯＦＤＭ（Ａ）（ＯＦＤＭおよび直交周波数分割多元接続）ＭＩＭＯシステムなどの様々なタイプのＭＩＭＯシステムにおいて実装され得る。ＯＦＤＭ（Ａ）  ＭＩＭＯシステムは、バイナリ位相シフトキーイング（ＢＰＳＫ）、直交位相シフトキーイング（ＱＰＳＫ）、１６ビット直交振幅変調（１６−ＱＡＭ）、６４−ＱＡＭ、２５６−ＱＡＭ、５１２−ＱＡＭ等を含む様々なデジタル変調およびマッピングスキームを用い得る。
【００２８】
ＭＩＭＯシステムにおける各送信機および受信機は、所望のビームフォーミングおよびビームステアリングを生成し、それにより送信機と受信機との間のデータ伝送を最適化すべく選択される複数のアンテナを有すだろう。以下にさらに説明されるように、送信機、受信機、またはその両方はこのアンテナ選択（ＡＳＥＬ）を実行し得る。例えば、受信機は送信機において適用される事前に決定された送信機のパワーレベルルールを知り、次に、その送信パワーレベルと受信機の利得係数とに基づいて適切なスケーリングを行うことによってＡＳＥＬを実行し得る。送信機は、受信機が複数のフルサイズのチャネルのサブチャネル推定を適切にスケーリングし、次に送信機にチャネル状態情報（ＣＳＩ）をフィードバックし、それから送信機がＣＳＩに基づいてＡＳＥＬを実行する、受信機との共同方策によって、または、送信機が受信機の近接度の決定に基づいてそのパワーレベルを調整する単一デバイス方策によって、ＡＳＥＬを実行し得る。
【００２９】
図１は、複数のアンテナ１８Ａ−１８Ｍを有する単一ＭＩＭＯ受信機１６と通信するための、複数のアンテナ１４Ａ−１４Ｍを有する単一ＭＩＭＯ送信機１２を通常含む、例示的なＭＩＭＯ通信システム１０をブロック図形式で示す。送信アンテナ１４Ａ−１４Ｍの数は、受信機アンテナ１８Ａ−１８Ｍの数と同じか、より多いか、より少なくてよい。送信機１２のコントローラ２０および受信機１６のコントローラ２２はそれぞれ各ＭＩＭＯ無線デバイスの通常動作を制御する。コントローラ２０および２２は、マイクロプロセッサ、特定用途向け集積回路（ＡＳＩＣ）等のような１または複数の標準的な多目的プログラマブルプロセッサとして実装され得るか、複数の他の任意の所望のタイプのハードウェア、ソフトウェア、および／またはファームウェアを使用して実装され得る。
【００３０】
送信機は、複数の無線周波数（ＲＦ）チェーン２４Ａ−２４Ｎを含む。それらの各々は、アンテナ１４Ａ−１４Ｍに適用される複数のＲＦ信号を生成するアンテナのためのＭＩＭＯデータパスを形成し得る。ＭＩＭＯ  ＯＦＤＭ（Ａ）アーキテクチャにおいて、例えば、各ＲＦチェーンは、空間的入力データストリームの周波数インターリーブと、複数のインターリーブビットのＱＡＭコンスタレーションポイントマッピング（例えば、ＢＰＳＫ、ＱＰＳＫ、１６−ＱＡＭ、６４−ＱＡＭ、または２５６−ＱＡＭを使用して）と、マッピングされた空間データの所望のアンテナストリームへのアンテナマッピングと、時間領域変換と、アナログデジタル変換および最終的なＲＦ処理と、を実行し得る。各送信機のＲＦチェーン２４Ａ−２４Ｎの出力は、スイッチコントローラ２８によって制御されるアンテナスイッチ２６に連結される。以下にさらに説明するように、コントローラ２０はＡＳＥＬを実行し、送信機１２と受信機１６との間で複数のＭＩＭＯデータパスを最適にビームフォーミングおよびビームステアリングすべく、ＲＦチェーン２４Ａ−２４Ｎの各々によって適用されるパワーレベルを制御し、かつまた決定する。
【００３１】
送信機１２と同様に、受信機１６は、コントローラ３４による制御の下、各々がアンテナスイッチ３２に連結される複数のＲＦチェーン３０Ａ−３０Ｎを含み、それらの各々はコントローラ２２と共に、送信機１２に関して上述されたものと同様の機能を実行し得る。
【００３２】
送信機１２と受信機１６との間で複数のＭＩＭＯチャネルをトレーニングし、かつ適切なＡＳＥＬ、およびビームステアリング並びにビームフォーミング制御を可能にすべく、ＭＩＭＯシステム１０は図２および図３において全体として示されるようなトレーニング手順を実行し得る。本明細書において説明される複数のトレーニング技術は、送信機１２および受信機１６のいずれかまたは両方において、アンテナの数ＭＴＸが各ＲＦチェーンの数ＮＴＸより多い状況におけるＡＳＥＬを可能にする。開始点として、ＩＥＥＥ８０２．１１ｎ規格において定義されるようなＡＳＥＬサウンディングプロトコルは、全ての送信機のアンテナ１４Ａ−１４Ｍに対応するフルサイズのチャネルをサウンディングすべく、送信機１２から複数の連続するサウンディングパケットを送出することを記載しており、送信機１２は、フルサイズのチャネルがサウンディングされてしまうまで、各サウンディングパケットをこれらのアンテナ１４Ａ−１４Ｍの異なるサブセットに切り替え得る。
【００３３】
図２を参照すると、送信機１２は２つの例示的なやり方で複数の連続するサウンディングパケットを送出し得る。まず、送信機１２は、高スループット制御フィールド（＋ＨＴＣ）（図示せず）を１に等しいヌルデータパケット（ＮＤＰ）と共に送出して受信機１６に複数の連続するサウンディングＰＬＣＰプロトコルデータユニット（ＰＰＤＵ）５０の開始を知らせ得る。複数の連続するサウンディングＰＬＣＰプロトコルデータユニット（ＰＰＤＵ）５０はそれぞれ、一連の隣接する短いフレーム間離間間隔（ＳＩＦＳ）とＮＤＰ５４信号とのペアが続く、送信機アンテナ選択サウンディング情報（ＴＸ  ＡＳＳＩ）信号５２で形成される。または、送信機１２はそれぞれがＳＩＦＳだけ離間された、一連の分割されたサウンディングＰＰＤＵ信号５６を送出し得る。このアンテナのサウンディング、トレーニングモードは、受信機１６が、送信機ＡＳサウンディング要求（ＴＸ  ＡＳＳＲ）５８信号を送信機１２に送出することによって開始され得る。
【００３４】
図２は、ＲＦチェーン２４Ａ−２４Ｎのためにパワーレベルポリシー等を設定すべくコントローラ２０によって分析されるフルサイズチャネル状態情報（ＣＳＩ）信号であり得るアンテナシステム（ＡＳ）フィードバック信号６０で、受信機１６がサウンディングＰＰＤＵ５０または５６に応答する、送信機ＡＳＥＬ（ＴＸ  ＡＳＥＬ）モードでのトレーニング手順を示す。ＣＳＩデータとして、ＡＳフィードバック信号６０は、選択されたアンテナ１８Ａ―１８Ｍのために受信機１６によって適用されるスケーリングインデックスを含むいくつかの信号情報のうちの任意のものを含み得る。当該情報は送信機１２のアンテナ１４Ａ−１４Ｍの制御を調節すべく、ＴＸ  ＡＳＥＬ手順の間に送信機１２によって使用され得る。
【００３５】
図３は、受信機１６から送信機１２に送出される受信機アンテナ選択サウンディング要求信号７０によって開始される受信機ＡＳＥＬ（ＲＸ  ＡＳＥＬ）モードでのトレーニング手順を示す。このトレーニング手順は、アンテナ素子１８Ａ−１８Ｍの数（ＭＲＸ）がＲＦチェーン３０Ａ−３０Ｎの数（ＮＲＸ）より多い場合に使用され得る。送信機１２は、全ての受信機アンテナ素子１８Ａ−１８Ｍに対応するフルサイズのチャネルをサウンディングすべく使用される複数の連続するサウンディングＰＰＤＵ７２または７４を送信する。ＰＰＤＵ７２の例において、送信機は、ＲＸ  ＡＳＳＩデータブロック７６、および一連のＳＩＦＳとＮＤＰ信号とのペア７８が続く、ＨＴＣ＋フレームおよびＮＤＰ告知ビット（図示せず）を送信する。または、複数の連続するサウンディングＰＰＤＵ７４は、それぞれがＳＩＦＳによって他のものと離間させられる、複数の分割されたサウンディングＰＰＤＵを使用して送信され得る。ＡＳＥＬは受信機ステーションにおいて実行されるので、ＡＳフィードバックも他のフィードバックも必要とされない。
【００３６】
ＴＸ  ＡＳＥＬトレーニング手順（図２）またはＲＸ  ＡＳＥＬトレーニング手順（図３）のいずれかで連続するサウンディングパケットを送信するとき、複数のサウンディングパケットの各々の受信機スケーリングと複数の送信パワー設定とはフルサイズＣＳＩ推定の精度に影響を与える。従って、この課題に対処すべく、ＡＳＥＬのためのチャネルサウンディングおよびチャネル推定を最適化するための複数の技術が提案されてきた。ＲＸ  ＡＳＥＬトレーニング手順において、例えば、複数のＡＳＥＬサウンディングパケットのためのＲＦチェーン２４Ａ−２４Ｎによって適用される送信パワーレベルは、受信機１６には知られており、かつ受信機１６が複数の受信された信号を適切に規準とすることを可能とする予め定められた、または別途設定された、パワー送信ルールに準拠するよう作成され得る。このパワーレベルルールに基づいて、かつパケット毎に変化し得るあらゆる受信機アナログ／デジタルスケーリング係数を考慮して、受信機１６は、受信機１６が全てのサブチャネルをフルサイズＣＳＩへと組み立てる前に、各ＡＳＥＬサウンディングパケットの受信後すぐに各推定されたサブチャネルの振幅を調整、すなわち、スケーリングし得る。
【００３７】
一方で、通信システムがＴＸ  ＡＳＥＬトレーニング手順の最中であり、かつ受信機１６がフルサイズＣＳＩを信号６０としてフィードバック中であるとき、送信機１２は適宜ＲＦチェーン２４Ａ−２４Ｎのパワーレベルを変更し得る。例えば、送信機１２はパケット毎に追加のパワースケーリングを適用して、例えば、電力増幅器における非線形性に起因する歪みを回避し得る。いくつかの例において、送信機１２は、フィードバック信号６０に応答して、チャネルサウンディングの品質を向上させるか、または交互に電力を節約すべく、複数の連続するサウンディングパケットのためのその送信パワーレベルを意図的に調整し得る。
【００３８】
そのような複数の改善を実現させるべく、以下のＭＩＭＯチャネルモデルが使用され得る。ＯＦＤＭシステムの一サブキャリアを表すＮＲ×ＮＴ  ＭＩＭＯチャネルを考えられたい。ここで、ＮＲはＲＦチェーン３０Ａ−３０Ｎの数であり、ＮＴはＲＦチェーン２４Ａ−２４Ｎの数である。このＮＲ×ＮＴ  ＭＩＭＯチャネルは、ベースバンドにおいては式ＨＳによって表される。Ｇが受信機１６での合成利得（デジタル＋アナログを含む）係数とされ、かつＰが各送信ＲＦチェーン２４Ａ−２４Ｎのパワーレベルであり、一方で、ｘが各次元における単位平均電力を想定する送信データベクトルである場合、送信機と受信機との間のＭＩＭＯチャネルは以下のようにモデル化され得る。
【数１】
0006745018.tif 000002
式中、ｎはノイズ要素である。
【００３９】
必須ではないが、いくつかの例において、送信機におけるアンテナ素子の数（ＭＴ）は、送信機のＲＦチェーンの数ＮＴより多いであろう。いくつかの例において、受信機におけるアンテナ素子の数（ＭＲ）は、受信機のＲＦチェーンの数ＮＲより多いであろう。複数の他の例においては、アンテナ素子はほとんど使用されないこともある。いずれにしても、送信機１２および受信機１６は、同じ数のアンテナ素子、またはＲＦチェーンを有することを要求されない。
【００４０】
いずれにしても、フルサイズのＭＩＭＯチャネル、Ｈ、は、全ての送信機のアンテナ素子ＭＴからの出力と、受信機の素子ＭＲからの入力とを含むので、ＭＲ×ＭＴ  ＭＩＭＯチャネル、Ｈ、である。各送信機１２および受信機１６内のアンテナスイッチ２６および３２はそれぞれ、このフルサイズのＭＲ×ＭＴ  ＭＩＭＯチャネルＨのチャネル推定に基づいてアンテナ選択を制御すべく使用される。ここで、式１中のＨＳはこのフルサイズのＭＩＭＯチャネルＨの部分行列である。
【００４１】
ＭＩＭＯシステム１０がＴＸ  ＡＳＥＬ手順とＲＸ  ＡＳＥＬ手順のどちらを使用すべきかは、アンテナおよびＲＦチェーンの数に基づいて決定され得る。例えば、ＭＴ＞ＮＴかつＭＲ＝ＮＲの場合、ＴＸ  ＡＳＥＬトレーニング手順が使用され得る。ＭＴ＝ＮＴかつＭＲ＞ＮＲの場合、ＲＸ  ＡＳＥＬトレーニング手順が使用され得る。ＭＴ＞ＮＴかつＭＲ＞ＮＲの場合、アンテナ選択は、共同送信機受信機選択により行われる。この最後の場合において、例えば、ＴＸ  ＡＳＥＬトレーニング手順は、受信された信号値に基づいて受信機にアンテナ選択を決定させ得るが、その後、アンテナ選択およびパワースケーリングが行われる送信機にその決定を伝達し得る。
【００４２】
式１において、受信機における利得係数Ｇは、ＭＩＭＯシステムのための自動利得制御（ＡＧＣ）設計によって、並びに、他のＲＦチェーンの複数のパラメータまたは複数の条件によって、左右され得る。これらの値はしたがって、ＡＳＥＬチャネル推定のための調節可能な設計パラメータではなく、むしろＡＳＥＬを決定するための定数である。
【００４３】
Ｎ個の連続するサウンディングパケットが送信機から受信機に送出されるＡＳＥＬサウンディング処理の間に式１のチャネルモデルを適用すると、対応する複数のベースバンド入出力関係は以下のようになる：
【数２】
0006745018.tif 000003
【００４４】
これらのチャネル式について、ｘ１，・・・，ｘＮは既知のトレーニングシンボルであると仮定すると、各サウンディングパケットに対応する複数の推定されたサブチャネルは次のように表され得るようになる：
【数３】
0006745018.tif 000004
式中、ｖｉはチャネル推定誤差である。
【００４５】
これらの個々の推定されたサブチャネルから、ＡＳＥＬ計算に使用されるフルサイズの推定されたチャネルは、
ＴＸ  ＡＳＥＬトレーニング手順について、
【数４】
0006745018.tif 000005
または、ＲＸ  ＡＳＥＬトレーニング手順について、
【数５】
0006745018.tif 000006
のように表され得る。両式において、値αｉは、フルサイズのチャネルマトリックスを組み立てるときに受信機によって適用されるスケーリング係数である。
【００４６】
式３および式４は受信機１６における推定されたフルサイズのチャネルを表す。真のフルサイズのチャネルは次のように表される。
【数６】
0006745018.tif 000007
チャネル推定の歪みがない場合、フルサイズのチャネルの式は、同じスカラが全てのサブチャネルにわたって適用されて、フルサイズの推定されたチャネルの式のスカラとして表され得る。
【数７】
0006745018.tif 000008
式中、βは、送信／受信アンテナサブセットとは独立したスカラ定数である。
【００４７】
しかしながら、適切な設計がなければ、このモデルにおいては、組み立てられたフルサイズの推定されたチャネルは複数の推定されたサブチャネル
【数８】
0006745018.tif 000009
の異なる複数の有効パワーレベル（強度）に起因した歪みを有し得る。この課題に対処すべく、このチャネル推定の歪みを最小化するよう、送信機におけるパワーレベルルールＰｉと、受信機におけるスケーリング係数ルールαｉとを一緒に設計し、かつ、受信機側および送信機側におけるＡＳＥＬ計算のための複数の異なる方策を可能にすることによってそれを行う複数の技術が開発されてきた。
【００４８】
概して上述されたように、アンテナ選択が行われ得る２つの異なるトレーニング手順またはモードがある。
【００４９】
図４はＲＸ  ＡＳＥＬトレーニング手順２００の例示的な方法を示す。ブロック２０２において、送信機１２はＲＦチェーン２４Ａ−２４Ｎに電力を供給すべく、予め定められたパワールールＰｉを使用する。ここで、このパワールールは受信機１６に知られている。当該予め定められたパワールールは、８０２．１１、８０２．１６、３ＧＰＰＰロングタームエボリューション（ＬＴＥ）等のような無線通信規格において指定されるものであってよい。それらに限る必要はないが、代わりに任意の妥当なパワールールが使用され得る。
【００５０】
ブロック２０２によって適用される一例示的ルールは、複数の連続するＡＳＥＬサウンディングパケットのために全てのＲＦチェーン２４Ａ−２４Ｎにわたって一定のパワーレベルを有するものであり、その場合、Ｐｉ＝Ｐ、すなわち定数である。例えば、ＩＥＥＥ８０２．１１ｎ規格に従うＭＩＭＯシステムにおいて、システムは、複数の連続するＡＳＥＬサウンディングパケットを送出するとき、ＭＡＣレイヤがＭＡＣ／ＰＨＹインターフェースにおいてＴＸ  ＰＷＲ＿ＬＥＶＥＬパラメータを変化させないことを保証すべくプログラムされ得る。
【００５１】
パワールールは、この例におけるように、各送信機チェーンの個々のパワーレベルを設定することに基づき得る。しかしながら、複数の他のパワールールは、全ての送信機チェーンにわたる全てのパワーレベルの合計に基づき得る。例えば、別のパワールールは、全てのアクティブなＲＦチェーン２４Ａ−２４Ｎにわたる合計の電力が、複数のＡＳＥＬサウンディングパケットについて一定であるようにパワーレベルＰｉを調整し得る。このことは、サウンディングされる送信アンテナの数が複数のサウンディングパケットにわたって一定ではない場合、Ｐｉが一定ではないことを意味する。例えば、デバイスが、２つの連続するサウンディングパケットを使用して、サウンディングされる合計４つのアンテナおよび４つの送信機のＲＦチェーンを有する場合、それらの送信機のＲＦチェーンのうちの３つを使用して４つのアンテナのうちの３つをサウンディングする第１のサウンディングパケットが確立され、残りの送信機のＲＦチェーンを使用して残りのアンテナをサウンディングする第２のサウンディングパケットが確立され、これら２つのサウンディングパケットから、システムはフルサイズのチャネル全体をトレーニングするであろう。
【００５２】
これらのパワールールは例として提供されるものである。好ましくは、パワールールは、それが全ての準拠するデバイスのハードウェア、ファームウェア、またはソフトウェアにおいて形成されるように、プロトコルまたは無線規格レベルで確立される。さらに、複数の準拠するＭＩＭＯデバイスは、複数のパワールールに対応し得て、この場合、使用されている特定のパワールールは、サービスプロバイダによって、または互いに同期すべくパワールールデータを通信する複数のデバイスによって、のいずれかで、複数の通信デバイスの間で調整される。
【００５３】
いずれにしても、ブロック２０２により結果として得られる複数の連続するサウンディングパケットは、受信機１６において受信される。受信機１６は、ブロック２０４において利得係数Ｇｉで一信号毎に固有に変更された振幅を有する複数のサウンディングパケットに基づいて複数のＭＩＭＯサブチャネル推定を決定する。
【００５４】
フルサイズの推定されたＭＩＭＯチャネルを組み立てるとき、適切なパワーレベルルールＰｉ並びに利得係数Ｇｉ、および受信機に知られているその両方で、受信機１６は次いで式３および式４のスケーリング係数αｉを調整して歪みを最小化し得る。歪みの最小化は、推定されたＭＩＭＯチャネルが式６
【数９】
0006745018.tif 000010
に従って送信機１２からの元のフルサイズのＭＩＭＯチャネルのスカラとなるように設計され得る。 
【００５５】
ブロック２０８は、例えば式３および式４を適用することによって、複数のスケーリングされたサブチャネル推定を推定されたフルサイズのＭＩＭＯチャネルへと組み立てる。その後ブロック２１０は、フルサイズの推定されたＭＩＭＯチャネルに基づいて、複数の既知の技術を使用してＡＳＥＬを計算する。
【００５６】
別の例においては、図４の例と同様だが、送信機１２において実行されるＡＳＥＬ決定を伴って、以下の複数の決定が適用され得る。複数の連続するサウンディングパケットのためのＲＦチェーン２４Ａ−２４Ｎに、一定のパワーレベルルール、Ｐｉ＝Ｐ、が適用されると仮定すると、受信機の利得係数は次のように表され得る。
【数１０】
0006745018.tif 000011
ここでＧＴはｉによらない定数であり、そのことは、各ＲＦチェーン３０Ａ−３０Ｎのための信号が、平均振幅がＧＴであるようにスケーリングされることを意味する。式７から、フルサイズのＭＩＭＯチャネル（ＣＳＩ）行列は、（複数の定数の値が各サブチャネル式から分離されて）以下のように表され得る。
【数１１】
0006745018.tif 000012
式８から、受信機１６は以下の式を使用して、個々のチャネル推定をスケーリングし得る。
【数１２】
0006745018.tif 000013
この式は、複数の連続するサウンディングパケットの各々に対応する平均の受信された信号（ｙｉ）強度を反映する。
【００５７】
このやり方でフルサイズのチャネルマトリックスを組み立てるときに、受信機によって適用される複数のスケーリング係数を設定することによって、歪み要素がこのように最小化され、かつ、式６
【数１３】
0006745018.tif 000014
はそれから、フルサイズチャネル状態情報を決定すべく適切に使用され得る。式７−式９は、上述されたように、ブロック２０２−ブロック２０６に従って適用され得る。
【００５８】
図４は、受信機において計算されるＴＸ  ＡＳＥＬのトレーニング手順（および、送信機にフィードバックされる、選択された複数のアンテナインデックス）を示して説明されるが、手順２００は、受信機１６が複数のサブチャネルの各々のためのスケーリング係数を決定し、結果として得られた複数のスケーリングされたサブチャネル推定
【数１４】
0006745018.tif 000015
をＣＳＩデータとして送信機１２に伝達して返す、ＴＸ  ＡＳＥＬへと変更され得る。それに応答して、送信機１２はそれから、複数の連続するサウンディングパケットを送出するための、その複数のパワーレベル方策を調整して、例えば、複数のパケットエラーレートを減少させるべく性能を最適化し得る。そのようなＴＸ  ＡＳＥＬトレーニング手順３００の例が図５に示される。図５は、図４の例と同様な複数の参照符号を有すが、ブロック３０２が、ＣＳＩデータの形式で複数のスケーリングされたサブチャネル推定
【数１５】
0006745018.tif 000016
を伝達して送信機１２に返すことを示す。送信機１２はその後、スケーリング係数αｉを識別し、利得係数Ｇｉと共に複数の新たなパワーレベル設定を決定し、かつ、ブロック３０４において適宜パワーレベルを調整する。
【００５９】
手続き２００はまた、推定されたチャネルが式４によって表されるＲＸ  ＡＳＥＬ手順に拡張され得る。この例において、式８の等式の右辺を置き換えることによって式８は依然として適用され得て、受信機のＡＳＥＬ計算のためにフルサイズのチャネルを構成するときに、受信機１６が複数のチャネル推定をスケーリングするために式９は依然として有効である。
【００６０】
いくつかの例において、スケーリングルールαｉおよび／または利得係数Ｇｉは、例えば、無線通信プロトコルまたは規格−ＩＥＥＥ８０２．１１、８０２．１６、ＬＴＥ等によって両方を定義することによって送信機１２に既に知られ得る。ＩＥＥＥ８０２．１１ｎ対応ＡＳＥＬプロトコルにおいては、例えば、プロトコルのためのチャネル符号化方策が、スケーリング係数αｉを設定すべく使用され得て、受信機１６が常に同じスケーリング係数ルールを適用して、ＰｉおよびＧｉによらず複数の対応するサウンディングパケットのサブチャネル推定を生成するようにする。例示的なＩＥＥＥ８０２．１１ｎのスケーリング係数ルールは次のようなものであってよい。
【数１６】
0006745018.tif 000017
【００６１】
スケーリング係数が予め定められる複数の場合においては、これは送信機１２において必要に応じて利得係数Ｇｉ設定のみを残す。送信機１２は、両方の値を用いてそのパワーレベルポリシーを調整して、受信機１６と通信するフルサイズのＭＩＭＯチャネルにおける歪みを少なくすることができる。利得係数が送信機において必要とされる場合は、複数の利得係数が受信機１６によって送信機１２に伝達され得るか、またはそれらは送信機１２において予め設定され得る。
【００６２】
スケーリングルールが規格またはプロトコルの一部でもなく、または別な方法で送信機１２において既に知られてもいない場合、ＴＸ  ＡＳＥＬトレーニング手順は、歪みを最小化するよう送信機１２がそれ自身の複数の受信された信号のスケーリングを行うべく、例えばブロック３０２からのＣＳＩデータ等として、αｉおよびＧｉの両方が受信機１６から送出されることを必要とし得る。例えば、受信機１６が、ｉによらず一定であるスカラαｉを適用する場合、受信機１６から複数のスケーリングされたサブチャネル推定を受信する送信機１２は、受信された信号中のそのスカラを識別し、かつ、複数のフィードバックサブチャネル推定をフルサイズのチャネル推定へと組み立てる前に同様のスケーリングルール（例えば、ｉによらない一定のスカラ）を適用し得る。送信機１２におけるそのようなスケーリングルールはまた、送信機１２においては既に知られているが、受信機１６においては必ずしも知られるわけではない、ＲＦチェーン２４Ａ−２４ＮにおけるパワーレベルＰｉに依存し得る。
【００６３】
送信機のスカラが設定されると、送信機１２は、性能（パケットエラーレート）を最適化すべく、複数の連続するサウンディングパケットを送出するためのそのパワーレベル方策を調整し得る。この場合、送信機のＲＦチェーンパワーレベルは、自由に調整され得る。なぜなら、ＣＳＩフィードバックは、受信機１６によって常に適切にスケーリングされるからである。動的に送信機のＲＦチェーンパワーレベルを設定するこの能力により、ＭＩＭＯ通信システムは様々なレベルの柔軟性を実現することが可能である。従って、いくつかの例において、送信機は、受信機からスケーリングされたＣＳＩフィードバックを受信すると、受信機がそばにあると決定し得る。それを受けて、送信機は自身の初期のパワーレベル設定を複数の連続するサウンディングパケットにおいて使用されたものよりも低く調整し、それにより電力を節約し得る。複数の他の例においては、送信機は、受信機が遠くにあると決定し、パワーレベル設定を高めて、それにより性能を向上させ得る。
【００６４】
複数のサウンディングパケットを使用するアンテナ選択サウンディングの基本的な想定の１つは、ＭＩＭＯチャネルは、これらのサウンディングパケットの送信および受信のＯＴＡ（ｏｖｅｒ−ｔｈｅ−ａｉｒ）期間にわたってほとんど変化しないということである。しかしいくつかの場合においては、この想定が当てはまらないこともあり、チャネルは高速に変化し得る。このように、いくつかの例においては、複数のチャネル条件に応じて、送信機はより低い電力のサウンディングを実行して、ＭＩＭＯチャネルをテストし、かつチャネルの複数の変化を追跡し得る。いくつかの例において、ＭＩＭＯシステムは、より低い電力の複数のサウンディングパケットで複数のアンテナのサブセットのみを使用するチャネルを探索して、チャネルが変化したかどうかを検出し、その後、集中的であり得る完全なアンテナのトレーニングが保証されるかどうかを決定し得る。言うまでもなく、これらは単に、複数の連続するＡＳＥＬサウンディングパケットを送出するための送信機チェーンの複数のパワーレベルを制御することが有益であり得るいくつかの適用例に過ぎない。
【００６５】
複数の上述された技術は、シングルキャリアＭＩＭＯシステムにも、ＯＦＤＭ（Ａ）システムなどのマルチキャリアＭＩＭＯシステムにも、どちらにも適用され得る。ＯＦＤＭ（Ａ）システムにおいては、上記列挙された複数の式が、チャネル毎ではなくサブキャリア毎に適用されるであろう。つまり、サウンディングパケット識別子ｉは、サブキャリア（またはサブチャネル）のインデックスを表す。そのようなＯＦＤＭ（Ａ）システムは、ＩＥＥＥ８０２．１１ｎまたはＩＥＥＥ８０２．１１ａｃ（例えば「ＷｉＦｉ」）、ＩＥＥＥ８０２．１６（例えば「ＷｉＭＡＸ（登録商標）」）、３ＧＰＰロングタームエボリューション（ＬＴＥ）などを含み得る。ＬＴＥは、ＵＭＴＳなどの３Ｇ規格、およびＧＳＭ（登録商標）などの２Ｇ規格よりも低減されたレイテンシと、改良されたスループットおよび速度とを提供する４Ｇの通信規格であるとみなされ、音声、ビデオ、リッチメディア、および端末間のクオリティオブサービス（ＱｏＳ）を有するメッセージングを含む、全てのＩＰベースのサービスをサポートすることが可能である。ＬＴＥ物理レイヤ（ＰＨＹ）は、複数のスマートアンテナを介して、ＯＦＤＭＡデータ伝送およびＭＩＭＯデータ伝送の両方を用いる。例えば、ＬＴＥ  ＰＨＹは、基地局からリモートユーザ機器へのダウンリンク通信にＯＦＤＭＡを、および、複数のリモートユーザから基地局へのアップリンク通信にシングルキャリア周波数分割多元接続（ＳＣ−ＦＤＭＡ）を使用し得る。
【００６６】
上述された複数の実施形態において、ＡＳＥＬは、複数のＲＦチェーンにパワーレベルルールを適用する間送信された複数の連続するトレーニングパケット（例えば複数のサウンディングパケット）に基づいて決定される送信パラメータの例である。複数の他の実施形態において、他の好適な複数の送信パラメータが決定される。例えば、一実施形態において、複数の連続するトレーニングパケットは、複数のＲＦチェーンにパワーレベルルールを適用する間送信されて、連続するトレーニングパケットの各々が、例えば、複数の指向性アンテナを使用して、予め定められたビームフォーミング行列（例えば複数のベクトル）を使用して、等により、異なる方向に送信されるようにする。複数の連続するサウンディングパケットの測定は受信機において決定され、複数の次の送信のためにビーム方向を選択すべく使用される。別の例として、別の実施形態において、複数の連続するトレーニングパケットは、複数のＲＦチェーンにパワーレベルルールを適用する間送信されて、連続するトレーニングパケットの各々が、異なる周波数サブバンドを使用して送信されるようにする。複数の連続するサウンディングパケットの測定は、受信機において決定され、複数の次の送信のために周波数サブバンドを選択すべく使用される。複数の他の実施形態において、他の好適な複数の送信パラメータが同様に選択される。
【００６７】
図６は、ある実施形態による、送信パラメータを決定するための例示的な方法４００のフロー図である。ある実施形態において、方法４００は図１において示されるシステムによって実装され、図６は、説明の目的のために、図１を参照して説明される。しかしながら、複数の他の実施形態においては、方法４００は異なる適切なシステムによって実装される。
【００６８】
ブロック４０４において、第１の通信デバイスは第２の通信デバイスに複数の連続するトレーニングパケットを送信する。複数の連続するトレーニングパケットは、第１の通信デバイスにおいて第１の通信デバイスの第１の複数のＲＦチェーンにパワーレベルルールを適用することによって第１の通信デバイスにおいて生成されたものである。一実施形態において、図１のデバイス１２が第１の通信デバイスに対応し、図１のデバイス１６が第２の通信デバイスに対応する。いくつかの実施形態において、パワーレベルルールは上述されたもののようなパワーレベルルールである。しかしながら、複数の他の実施形態においては、別の適切なパワーレベルルールが使用される。
【００６９】
ある実施形態において、送信パラメータの選択が第１の通信デバイスにおいて使用されるアンテナの特定のサブセットの選択に対応する場合、各トレーニングパケットのそれぞれは、上述されたようなアンテナの各サブセットで送信される。例えば、複数のいくつかの実施形態において、ブロック４０４は図４のブロック２０２に対応する。
【００７０】
別の実施形態においては、送信パラメータの選択が、第１の通信デバイスにおいて使用される特定のビーム方向の選択に対応する場合、各トレーニングパケットのそれぞれは、（例えば、複数の指向性アンテナを使用して、予め定められた複数のビームフォーミング行列（例えば複数のベクトル）を使用して）、各ビーム方向に送信される。別の実施形態においては、送信パラメータの選択が第１の通信デバイスにおいて使用される特定の周波数サブバンドの選択に対応する場合、各トレーニングパケットのそれぞれは各周波数サブバンドにおいて送信される。
【００７１】
ある実施形態において、複数のトレーニングパケットは通常のサウンディングパケットである。別の実施形態において、複数のトレーニングパケットはヌルデータパケット（ＮＤＰ）サウンディングパケットである。複数の他の実施形態においては、他の好適な複数のトレーニングパケットが使用される。
【００７２】
ブロック４０８において、ブロック４０４において送信される複数のトレーニングパケットに対応する複数のトレーニングパケットが、第２の通信デバイスにおいて受信される。
【００７３】
ブロック４１２において、各チャネル測定はブロック４０８において受信される複数のトレーニングパケットと、パワーレベルルールとに基づいて第２の通信デバイスにおいて決定される。送信パラメータの選択が、第１の通信デバイスにおいて使用される複数のアンテナの特定のサブセットの選択に対応する実施形態において、ブロック４１２は、パワーレベルルールに基づいて、複数のＭＩＭＯサブチャネル推定を決定する段階と、複数のＭＩＭＯサブチャネル推定をスケーリングする段階とを含む。例えば、いくつかの実施形態において、ブロック４１２は、図４のブロック２０４およびブロック２０６に対応する。
【００７４】
送信パラメータの選択が第１の通信デバイスにおいて使用される特定のビーム方向の選択に対応する別の実施形態において、ブロック４１２は複数の受信されたトレーニングパケットに対応する複数のチャネル測定をスケーリングする段階を含む。同様に、送信パラメータの選択が、第１の通信デバイスにおいて使用される特定の周波数サブバンドの選択に対応する別の実施形態において、ブロック４１２は複数の受信されたトレーニングパケットに対応するチャネル測定をスケーリングする段階を含む。いくつかの実施形態において、ブロック４１２は、複数の受信されたトレーニングパケットに対応する複数のチャネル品質測定（例えば、信号対ノイズ比（ＳＮＲ）、信号対干渉雑音比（ＳＩＮＲ）、ビットエラーレート（ＢＥＲ）、パケットエラーレート（ＰＥＲ）、信号電力測定等）を生成する段階を含む。
【００７５】
ブロック４１６において、第２の通信デバイスはブロック４１２において決定される複数のチャネル測定に基づいて、送信パラメータを選択する。例えば、送信パラメータの選択が、第１の通信デバイスにおいて使用される複数のアンテナの特定のサブセットの選択に対応する実施形態において、ブロック４１６は、ブロック４１２において決定される複数のＭＩＭＯサブチャネル推定に基づいてＭＩＭＯチャネルのフルサイズ推定を組み立てる段階を含む。ブロック４１２においては、ＭＩＭＯチャネルのフルサイズ推定は、第１の複数のアンテナと第２の複数のアンテナとの間の全ＭＩＭＯチャネルに対応する。それから、第１の複数のアンテナのサブセットは、ＭＩＭＯチャネルのフルサイズ推定に基づいて選択される。例えば、いくつかの実施形態において、ブロック４１６は図４のブロック２０８およびブロック２１０に対応する。
【００７６】
送信パラメータの選択が第１の通信デバイスにおいて使用される特定のビーム方向の選択に対応する別の実施形態において、ブロック４１６は、ブロック４１２において決定される複数のチャネル品質測定（例えば、ＳＮＲ、ＳＩＮＲ、ＢＥＲ、ＰＥＲ、信号電力測定等）に基づいて特定のビーム方向を選択する段階を含む。同様に、送信パラメータの選択が、第１の通信デバイスにおいて使用される特定の周波数サブバンドの選択に対応する別の実施形態において、ブロック４１６は、ブロック４１２において決定される複数のチャネル品質測定（例えば、ＳＮＲ、ＳＩＮＲ、ＢＥＲ、ＰＥＲ、信号電力測定等）に基づいて、特定の周波数サブバンドを選択する段階を含む。
【００７７】
ブロック４２０において、第２の通信デバイスは、第１の通信デバイスに選択された送信パラメータの指標を送信する。例えば、選択された送信パラメータが、第１の通信デバイスにおいて使用される複数のアンテナの選択されたサブセットに対応する実施形態において、ブロック４２０は、第１の複数のアンテナの選択されたサブセットの指標を第１の通信デバイスに送信する段階を含む。選択された送信パラメータが、第１の通信デバイスにおいて使用される選択されたビーム方向に対応する別の実施形態において、ブロック４２０は選択されたビーム方向の指標を第１の通信デバイスに送信する段階を含む。選択された送信パラメータが、第１の通信デバイスにおいて使用される選択された周波数サブバンドに対応する別の実施形態において、ブロック４２０は、選択された周波数サブバンドの指標を第１の通信デバイスに送信する段階を含む。
【００７８】
ブロック４２４において、第１の通信デバイスは、選択された送信パラメータの指標を受信し、それに応答して、第２の通信デバイスに送信するとき、選択された送信パラメータを使用する。例えば、選択された送信パラメータが、第１の通信デバイスにおいて使用される複数のアンテナの選択されたサブセットに対応する実施形態において、ブロック４２４は、第２の通信デバイスに送信するとき、第１の通信デバイスが、第１の複数のアンテナの選択されたサブセットを使用する段階を含む。選択された送信パラメータが第１の通信デバイスにおいて使用される選択されたビーム方向に対応する別の実施形態において、ブロック４２４は、第２の通信デバイスに送信するとき、（例えば、１または複数の特定の指向性アンテナを使用して、特定の予め定められたビームステアリング行列（例えばベクトル）を使用して、等により）選択されたビーム方向を使用する段階を含む。選択された送信パラメータが、第１の通信デバイスにおいて使用される選択された周波数サブバンドに対応する別の実施形態において、ブロック４２４は、第２の通信デバイスに送信するとき、第１の通信デバイスが選択された周波数サブバンドを使用する段階を含む。
【００７９】
いくつかの実施形態において、第２の通信デバイスはブロック４１６の選択を実行しないが、その代わりに、ブロック４１２において決定される複数のチャネル測定を第１の通信デバイスに送信する。それから、第１の通信デバイスはブロック４１６の選択を実行する。複数のそのような実施形態においては、ブロック４２０は省略される。
【００８０】
複数の上述された技術は、シングルキャリアＭＩＭＯシステムにも、ＯＦＤＭ（Ａ）システムなどのマルチキャリアＭＩＭＯシステムにも、どちらにも適用され得る。ＯＦＤＭ（Ａ）システムにおいては、上述された複数の技術が、チャネル毎ではなくサブキャリア毎またはサブキャリアグループ毎に適用されるであろう。そのようなＯＦＤＭ（Ａ）システムは、ＩＥＥＥ８０２．１１（例えば「ＷｉＦｉ」）、ＩＥＥＥ８０２．１６（例えば「ＷｉＭＡＸ（登録商標）」）、３ＧＰＰＰロングタームエボリューション（ＬＴＥ）などを含み得る。
【００８１】
上述されたもののような複数の送信パラメータ選択方法は、様々なＭＩＭＯデバイスによって使用され得る。例えば、上述されたような複数の技術は、複数の基地局、複数のアクセスポイント、複数の無線ルータ等において使用され得る。送信機１２は、例えば、基地局を表し、受信機１６は、任意のリモート無線デバイス（モバイルデバイスまたはその他のもの）を表し、またはその逆のことも言える。さらに、図７Ａ―図７Ｆは、上述されたような複数のＡＳＥＬ技術が用いられ得る様々なデバイスを示す。
【００８２】
ここで図７Ａを参照すると、複数のそのような技術は、高解像度テレビ（ＨＤＴＶ）１０２０において使用され得る。ＨＤＴＶ１０２０は、大量データ記憶装置１０２７と、ＨＤＴＶ信号処理および制御ブロック１０２２と、ＷＬＡＮインターフェースおよびメモリ１０２８とを含む。ＨＤＴＶ１０２０は、有線のフォーマットか無線のフォーマットのいずれかで複数のＨＤＴＶ入力信号を受信し、ディスプレイ１０２６用に複数のＨＤＴＶ出力信号を生成する。いくつかの実装において、ＨＤＴＶ１０２０の信号処理回路および／または制御回路１０２２、および／または複数の他の回路（図示せず）は、データを処理し、符号化および／または暗号化を実行し、複数の計算を実行し、データをフォーマットし、かつ／または、必要とされ得る他の任意のタイプのＨＤＴＶの処理を実行し得る。
【００８３】
ＨＤＴＶ１０２０は、光記憶デバイスおよび／または磁気記憶デバイスなどの、不揮発的にデータを格納する大量データ記憶装置１０２７と通信し得る。大容量記憶デバイスは、およそ１．８インチ（４．５７２ｃｍ）よりも小さい直径を有する１または複数のプラッタを含む小型ＨＤＤであってよい。ＨＤＴＶ１０２０は、ＲＡＭ、ＲＯＭ、フラッシュメモリなどの低レイテンシ不揮発性メモリ、および／または他の好適な電子データ記憶装置などのメモリ１０２８に接続され得る。ＨＤＴＶ１０２０はまた、ＷＬＡＮネットワークインターフェース１０２９を介してＷＬＡＮとの複数の接続をサポートし得る。ＨＤＴＶ１０２０は、上述されたような複数の送信パラメータ選択技術を実行するよう構成されるコントローラ１００２を含み得る。例えば、ある実施形態において、ＷＬＡＮネットワークインターフェース１０２９は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００８４】
ここで図７Ｂを参照すると、複数のそのような技術は車両１０３０において使用され得る。車両１０３０は大量データ記憶装置１０４６並びにＷＬＡＮインターフェース１０４８を含み得る制御システムを含む。大量データ記憶装置１０４６は、温度センサ、圧力センサ、回転センサ、気流センサ、および／または任意の他の適切なセンサなどの１または複数のセンサ１０３６から複数の入力を受信し、かつ／または、エンジン動作パラメータ、送信動作パラメータ、および／または他の制御信号などの１または複数の出力制御信号１０３８を生成するパワートレーン制御システム１０３２をサポートし得る。
【００８５】
同様に制御システム１０４０は、複数の入力センサ１０４２から複数の信号を受信し、かつ／または１または複数の出力デバイス１０４４に複数の制御信号を出力し得る。いくつかの実装において、制御システム１０４０は、アンチロックブレーキシステム（ＡＢＳ）、ナビゲーションシステム、テレマティックスシステム、車両のテレマティックスシステム、車線逸脱システム、アダプティブクルーズ制御システム、ステレオ、ＤＶＤ、コンパクトディスク等のような車両用エンターテイメントシステム、の一部であってよい。
【００８６】
パワートレーン制御システム１０３２は、光記憶デバイスおよび／または磁気記憶デバイスなどの、不揮発的にデータを格納する大量データ記憶装置１０２７と通信し得る。大容量記憶デバイス１０４６は、およそ１．８インチ（４．５７２ｃｍ）よりも小さい直径を有する１または複数のプラッタを含む小型ＨＤＤであってよい。パワートレーン制御システム１０３２は、ＲＡＭ、ＲＯＭ、フラッシュメモリなどの低レイテンシ不揮発性メモリ、および／または他の好適な電子データ記憶装置などのメモリ１０４７に接続され得る。パワートレーン制御システム１０３２はまた、ＷＬＡＮネットワークインターフェース１０４８を介してＷＬＡＮとの複数の接続をサポートし得る。制御システム１０４０はまた、大量データ記憶装置、メモリ、および／またはＷＬＡＮインターフェース（全て図示せず）を含み得る。車両１０３０は、上述されたような複数の送信パラメータ選択技術を実行するよう構成されるコントローラ１００２を含み得る。例えば、ある実施形態において、ＷＬＡＮネットワークインターフェース１０４８は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００８７】
ここで図７Ｃを参照すると、複数のそのような技術は、セルラーアンテナ１０５１を含み得る携帯電話１０５０において使用され得る。携帯電話１０５０は、１０５２で図７Ｃにおいて全体として識別される信号処理および／または複数の制御回路のいずれかまたは両方と、携帯電話１０５０のＷＬＡＮネットワークインターフェース１０６８および／または大量データ記憶装置１０６４とを含み得る。いくつかの実装において、携帯電話１０５０は、マイク１０５６、スピーカおよび／またはオーディオ出力ジャックなどのオーディオ出力１０５８、ディスプレイ１０６０、および／または、キーパッド、ポインティングデバイス、音声起動および／または他の入力デバイスなどの入力デバイス１０６２を含む。携帯電話１０５０における信号処理および／または複数の制御回路１０５２および／または他の複数の回路（図示せず）は、データを処理し、符号化および／または暗号化を実行し、複数の計算を実行し、データをフォーマットし、かつ／または、他の携帯電話機能を実行し得る。
【００８８】
携帯電話１０５０は、光記憶デバイスおよび／または磁気記憶デバイス、例えばハードディスクドライブＨＤＤおよび／またはＤＶＤなどの、不揮発的にデータを格納する大量データ記憶装置１０６４と通信し得る。ＨＤＤは、およそ１．８インチ（４．５７２ｃｍ）よりも小さい直径を有する１または複数のプラッタを含む小型ＨＤＤであってよい。携帯電話１０５０は、ＲＡＭ、ＲＯＭ、フラッシュメモリなどの低レイテンシ不揮発性メモリ、および／または他の好適な電子データ記憶装置などのメモリ１０６６に接続され得る。携帯電話１０５０はまた、ＷＬＡＮネットワークインターフェース１０６８を介してＷＬＡＮとの複数の接続をサポートし得る。携帯電話１０５０は、上述されたような複数の送信パラメータ選択技術を実行するよう構成されるコントローラ１００２を含み得る。例えば、ある実施形態において、ＷＬＡＮネットワークインターフェース１０６８は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００８９】
ここで図７Ｄを参照すると、複数のそのような技術はセットトップボックス１０８０において使用され得る。セットトップボックス１０８０は、１０８４で図７Ｄにおいて全体として識別される信号処理および／または複数の制御回路のいずれかまたは両方と、セットトップボックス１０８０のＷＬＡＮインターフェースおよび／または大量データ記憶装置１０９０とを含み得る。セットトップボックス１０８０は、ブロードバンドソースなどのソース１０９１から複数の信号を受信し、テレビおよび／またはモニタ、および／または他のビデオ出力デバイスおよび／またはオーディオ出力デバイスなどのディスプレイ１０８８に適した、標準の、および／または高解像度のオーディオ／ビデオ信号を出力する。セットトップボックス１０８０の信号処理および／または複数の制御回路１０８４、および／または他の複数の回路（図示せず）は、データを処理し、符号化および／または暗号化を実行し、複数の計算を実行し、データをフォーマットし、かつ／または、他の任意のセットトップボックスの機能を実行し得る。
【００９０】
セットトップボックス１０８０は、不揮発的にデータを格納する大量データ記憶装置１０９０と通信し得て、かつジッタ測定を使用し得る。大量データ記憶装置１０９０は、光記憶デバイスおよび／または磁気記憶デバイス、例えばハードディスクドライブＨＤＤおよび／またはＤＶＤを含み得る。ＨＤＤは、およそ１．８インチ（４．５７２ｃｍ）よりも小さい直径を有する１または複数のプラッタを含む小型ＨＤＤであってよい。セットトップボックス１０８０は、ＲＡＭ、ＲＯＭ、フラッシュメモリなどの低レイテンシ不揮発性メモリ、および／または他の好適な電子データ記憶装置などのメモリ１０９４に接続され得る。セットトップボックス１０８０はまた、ＷＬＡＮネットワークインターフェース１０９６を介してＷＬＡＮとの複数の接続をサポートし得る。セットトップボックス１０８０は、上述されたような複数の送信パラメータ選択技術を実行するよう構成されるコントローラ１００２を含み得る。例えば、ある実施形態において、ＷＬＡＮネットワークインターフェース１０９６は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００９１】
ここで図７Ｅを参照すると、複数のそのような技術はメディアプレーヤ１１００において使用され得る。メディアプレーヤ１１００は、１１０４で図７Ｅにおいて全体として識別される信号処理および／または複数の制御回路のいずれかまたは両方と、メディアプレーヤ１１００のＷＬＡＮインターフェースおよび／または大量データ記憶装置１１１０とを含み得る。いくつかの実装において、メディアプレーヤ１１００は、ディスプレイ１１０７、および／またはキーパッド、タッチパッド等のようなユーザ入力１１０８を含む。いくつかの実装において、メディアプレーヤ１１００は、ディスプレイ１１０７および／またはユーザ入力１１０８を介して、典型的にメニュー、ドロップダウンメニュー、アイコン、および／またはポイントアンドクリックインターフェースを用いるグラフィカルユーザインターフェース（ＧＵＩ）を用い得る。メディアプレーヤ１１００はさらに、スピーカおよび／またはオーディオ出力ジャックなどのオーディオ出力１１０９を含む。メディアプレーヤ１１００の信号処理および／または複数の制御回路１１０４および／または他の複数の回路（図示せず）は、データを処理し、符号化および／または暗号化を実行し、複数の計算を実行し、データをフォーマットし、かつ／または、他の任意のメディアプレーヤの機能を実行し得る。
【００９２】
メディアプレーヤ１１００は、圧縮されたオーディオおよび／またはビデオコンテンツなどのデータを不揮発的に格納する大量データ記憶装置１１１０と通信し得て、かつジッタ測定を使用し得る。いくつかの実装において、複数の圧縮されたオーディオファイルは、ＭＰ３フォーマット、または他の好適な圧縮されたオーディオおよび／またはビデオフォーマットに対応する複数のファイルを含む。大量データ記憶装置は、光記憶デバイスおよび／または磁気記憶デバイス、例えば、ハードディスクドライブＨＤＤおよび／またはＤＶＤ、を含み得る。ＨＤＤは、およそ１．８インチ（４．５７２ｃｍ）よりも小さい直径を有する１または複数のプラッタを含む小型ＨＤＤであってよい。メディアプレーヤ１１００は、ＲＡＭ、ＲＯＭ、フラッシュメモリなどの低レイテンシ不揮発性メモリ、および／または他の好適な電子データ記憶装置などのメモリ１１１４に接続され得る。メディアプレーヤ１１００はまた、ＷＬＡＮネットワークインターフェース１１１６を介してＷＬＡＮとの複数の接続をサポートし得る。メディアプレーヤ１１００は、上述されたような複数の送信パラメータ選択技術を実行するよう構成されるコントローラ１００２を含み得る。例えば、ある実施形態において、ＷＬＡＮネットワークインターフェース１１１６は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００９３】
図７Ｆを参照すると、複数のそのような技術は、ＭＩＭＯアンテナ１１５２を含み得るボイスオーバーインターネットプロトコル（ＶｏＩＰ）電話１１５０において使用され得る。ＶｏＩＰ電話１１５０は、１１５４で図７Ｆにおいて全体として識別される信号処理および／または複数の制御回路のいずれかまたは両方と、ＶｏＩＰ電話１１５０の無線インターフェースおよび／または大量データ記憶装置とを含み得る。いくつかの実装において、ＶｏＩＰ電話１１５０は、部分的に、マイク１１５８、スピーカおよび／またはオーディオ出力ジャックなどのオーディオ出力１１６０、ディスプレイモニタ１１６２、キーパッド、ポインティングデバイス、音声起動および／または複数の他の入力デバイスなどの入力デバイス１１６４、および、ワイヤレス・フィディリティ（ＷｉＦｉ）通信モジュール１１６６を含む。ＶｏＩＰ電話１１５０における信号処理および／または複数の制御回路１１５４および／または他の複数の回路（図示せず）は、データを処理し、符号化および／または暗号化を実行し、複数の計算を実行し、データをフォーマットし、かつ／または、ＶｏＩＰ電話の他の複数の機能を実行し得る。
【００９４】
ＶｏＩＰ電話１１５０は、光記憶デバイスおよび／または磁気記憶デバイス、例えばハードディスクドライブＨＤＤおよび／またはＤＶＤなどの、不揮発的にデータを格納する大量データ記憶装置１１５６と通信し得る。ＨＤＤは、およそ１．８インチ（４．５７２ｃｍ）よりも小さい直径を有する１または複数のプラッタを含む小型ＨＤＤであってよい。ＶｏＩＰ電話１１５０は、ＲＡＭ、ＲＯＭ、フラッシュメモリなどの低レイテンシ不揮発性メモリ、および／または他の好適な電子データ記憶装置であってよいメモリ１１５７に接続され得る。ＶｏＩＰ電話１１５０は、ＷｉＦｉ通信モジュール１１６６を介してＶｏＩＰネットワーク（図示せず）と通信リンクを確立するよう構成される。ＶｏＩＰ電話１１５０は、上述されたような複数の送信パラメータ選択技術を実行するよう構成されるコントローラ１００２を含み得る。例えば、ある実施形態において、ＷＬＡＮネットワークインターフェース１０２９は、送信機１２または受信機１６の例において上述されたような、複数のＲＦチェーン、アンテナスイッチ、およびスイッチコントローラを含み、コントローラ１００２は、チャネルサウンディングおよびチャネル推定を実行し、かつＭＩＭＯアンテナシステムのためのＡＳＥＬを決定するよう構成される。
【００９５】
一実施形態において、方法は、多入力多出力（ＭＩＭＯ）システムにおいて送信パラメータを選択するためのものであり、通信は第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われる。当該方法は、第１の通信デバイスによって送信された複数の連続するトレーニングパケットであり、第１の通信デバイスにおいて第１の複数のＲＦチェーンにパワーレベルルールを適用することによって第１の通信デバイスにおいて生成された複数の連続するトレーニングパケットを第２の通信デバイスにおいて受信する段階と、パワーレベルルールに基づいて複数の連続するトレーニングパケットに対応する各チャネル測定を第２の通信デバイスにおいて決定する段階と、各チャネル測定に基づいて送信パラメータを第２の通信デバイスにおいて選択する段階と、第１の通信デバイスに、選択された送信パラメータを第２の通信デバイスで送信する段階とを含む。
【００９６】
複数の他の実施形態において、当該方法はまた、複数の以下の特徴のうちの１または複数のものの任意の適切な組み合せを含む。
【００９７】
パワーレベルルールは、複数の連続するトレーニングパケットの各々に対して同じパワーレベルを使用する第１の複数のＲＦチェーンの各々に対応する。
【００９８】
第１の複数のＲＦチェーン中の全てのＲＦチェーンのために適用される複数のパワーレベルの合計に対応するパワーレベルルールは、複数の連続するトレーニングパケットのそれぞれについて一定である。
【００９９】
送信パラメータを選択する段階は、各チャネル測定に基づいて第１の複数のアンテナの中からアンテナのサブセットを選択する段階を備え、第１の通信デバイスに選択された送信パラメータを送信する段階は、選択されたサブセットのアンテナの指標を送信する段階を備える。
【０１００】
当該方法はさらに、各チャネル測定に基づいて第１の複数のアンテナと第２の複数のアンテナとの間の全ＭＩＭＯチャネルの推定を決定する段階を含み、第１の複数のアンテナの中からアンテナのサブセットを選択する段階は、全ＭＩＭＯチャネルの推定に基づく。
【０１０１】
複数の連続するトレーニングパケットは、各周波数サブバンドにおいて第１の通信デバイスによって送信されたものであり、送信パラメータを選択する段階は、各チャネル測定に基づいて特定の周波数サブバンドを選択する段階を備え、第１の通信デバイスに選択された送信パラメータを送信する段階は、選択された特定の周波数サブバンドの指標を送信する段階を備える。
【０１０２】
別の実施形態において、第１の通信デバイスは、第１の複数のアンテナに連結される第１の複数の無線周波数（ＲＦ）チェーンおよびコントローラを備える。コントローラは、第１の複数のＲＦチェーンを介して受信される複数の連続するトレーニングパケットであり、ｉ）第２の複数のアンテナを有する第２の通信デバイスによって送信され、ｉｉ）第２の通信デバイスにおいて、第２の通信デバイスの第２の複数のＲＦチェーンにパワーレベルルールを適用することによって第２の通信デバイスにおいて生成されたものである複数の連続するトレーニングパケット、に対応する各チャネル測定をパワーレベルルールに基づいて決定し、各チャネル測定に基づいて送信パラメータを選択し、かつ、第２の通信デバイスに向けて、選択された送信パラメータを第１の通信デバイスに送信させるよう構成される。
【０１０３】
複数の他の実施形態において、第１の通信デバイスはまた、複数の以下の特徴のうちの１または複数のものの任意の適切な組み合せを備える。
【０１０４】
パワーレベルルールは、複数の連続するトレーニングパケットの各々に対して同じパワーレベルを使用する第２の複数のＲＦチェーンの各々に対応する。
【０１０５】
第２の複数のＲＦチェーン中の全てのＲＦチェーンのために適用される複数のパワーレベルの合計に対応するパワーレベルルールは、複数の連続するトレーニングパケットのそれぞれについて一定である。
【０１０６】
コントローラは、各チャネル測定に基づいて第２の複数のアンテナの中からアンテナのサブセットを選択し、第２の通信デバイスに向けて、選択されたサブセットのアンテナの指標を第１の通信デバイスに送信させるよう構成される。
【０１０７】
コントローラは、各チャネル測定に基づいて、第２の複数のアンテナと第１の複数のアンテナとの間の全ＭＩＭＯチャネルの推定を決定し、全ＭＩＭＯチャネルの推定に基づいて、第２の複数のアンテナの中からアンテナのサブセットを選択するよう構成される。
【０１０８】
複数の連続するトレーニングパケットは、各周波数サブバンドにおいて第２の通信デバイスによって送信されたものであり、コントローラは、各チャネル測定に基づいて特定の周波数サブバンドを選択し、第２の通信デバイスに向けて、選択された特定の周波数サブバンドの指標を第１の通信デバイスに送信させるよう構成される。
【０１０９】
さらに別の実施形態において、システムは、第１の複数のアンテナ、第１の複数の無線周波数（ＲＦ）チェーン、および第１のコントローラを有する第１の通信デバイスを備える。第１のコントローラは、パワーレベルルールが第１の複数のＲＦチェーンに適用される間、複数の連続するトレーニングパケットを第１の複数のＲＦチェーンを介して第１の通信デバイスに送信させるよう構成される。当該システムはまた、第２の複数のアンテナ、第２の複数の無線周波数（ＲＦ）チェーン、および第２のコントローラを有する第２の通信デバイスを備える。第２のコントローラは、第２の複数のＲＦチェーンを介して受信される複数の連続するトレーニングパケットに対応する各チャネル測定をパワーレベルルールに基づいて決定し、各チャネル測定に基づいて送信パラメータを選択し、第１の通信デバイスに向けて、選択された送信パラメータを第２の通信デバイスに送信させるよう構成される。
【０１１０】
複数の他の実施形態において、当該システムはまた、複数の以下の特徴のうちの１または複数のものの任意の適切な組み合せを備える。
【０１１１】
パワーレベルルールは、複数の連続するトレーニングパケットの各々に対して同じパワーレベルを使用する第１の複数のＲＦチェーンの各々に対応する。
【０１１２】
第１の複数のＲＦチェーン中の全てのＲＦチェーンのために適用されるパワーレベルの合計に対応するパワーレベルルールは、複数の連続するトレーニングパケットのそれぞれについて一定である。
【０１１３】
第２のコントローラは、各チャネル測定に基づいて第１の複数のアンテナの中からアンテナのサブセットを選択し、第１の通信デバイスに向けて、選択されたサブセットのアンテナの指標を第２の通信デバイスに送信させるよう構成される。
【０１１４】
第２のコントローラは、各チャネル測定に基づいて、第１の複数のアンテナと第２の複数のアンテナとの間の全ＭＩＭＯチャネルの推定を決定し、全ＭＩＭＯチャネルの推定に基づいて、第１の複数のアンテナの中からアンテナのサブセットを選択するよう構成される。
【０１１５】
第１のコントローラは、第２の通信デバイスに送信するとき、選択されたサブセットのアンテナを第１の通信デバイスに使用させるよう構成される。
【０１１６】
第１のコントローラは、各周波数サブバンドにおいて複数の連続するトレーニングパケットを第１の通信デバイスに送信させるよう構成され、第２のコントローラは、各チャネル測定に基づいて特定の周波数サブバンドを選択し、第１の通信デバイスに向けて、選択された特定の周波数サブバンドの指標を第２の通信デバイスに送信させるよう構成される。
【０１１７】
第１のコントローラは、第２の通信デバイスに送信するとき、選択された特定の周波数サブバンドを第１の通信デバイスに使用させるよう構成される。
【０１１８】
さらに別の実施形態において、方法は、多入力多出力（ＭＩＭＯ）システムにおいて使用するために、複数の周波数サブバンドの中から一の周波数サブバンドを選択するためのものである。ここで、通信は、第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われる。当該方法は、各周波数サブバンドにおいて第１の通信デバイスによって送信された複数の連続するトレーニングパケットであり、第１の通信デバイスにおいて、第１の複数のＲＦチェーンにパワーレベルルールを適用することによって第１の通信デバイスにおいて生成された複数の連続するトレーニングパケット、を第２の通信デバイスにおいて受信する段階と、パワーレベルルールに基づいて複数の連続するトレーニングパケットに対応する各チャネル測定を第２の通信デバイスにおいて決定する段階と、各チャネル測定に基づいて特定の周波数サブバンドを第２の通信デバイスにおいて選択する段階と、第１の通信デバイスに向けて、特定の周波数サブバンドの指標を第２の通信デバイスで送信する段階と、を含む。
【０１１９】
複数の他の実施形態において、当該方法はまた、複数の以下の特徴のうちの１または複数のものの任意の適切な組み合せを含む。
【０１２０】
パワーレベルルールは、複数の連続するトレーニングパケットの各々に対して同じパワーレベルを使用する第１の複数のＲＦチェーンの各々に対応する。
【０１２１】
第１の複数のＲＦチェーン中の全てのＲＦチェーンのために適用されるパワーレベルの合計に対応するパワーレベルルールは、複数の連続するトレーニングパケットのそれぞれについて一定である。
【０１２２】
第１の通信デバイスに特定の周波数サブバンドの指標を送信する段階は、複数の連続するトレーニングパケットを受信する段階に応答して行われる。
【０１２３】
さらに別の実施形態において、第１の通信デバイスは、第１の複数のアンテナに連結される第１の複数の無線周波数（ＲＦ）チェーンおよびコントローラを備える。当該コントローラは、第１の複数のＲＦチェーンを介して受信される複数の連続するトレーニングパケットであり、ｉ）各周波数サブバンドにおいて第２の複数のアンテナを有する第２の通信デバイスによって送信され、ｉｉ）第２の通信デバイスにおいて、第２の通信デバイスの第２の複数のＲＦチェーンにパワーレベルルールを適用することによって第２の通信デバイスにおいて生成された複数の連続するトレーニングパケット、に対応する各チャネル測定を、パワーレベルルールに基づいて決定し、各チャネル測定に基づいて特定の周波数サブバンドを選択し、第２の通信デバイスに向けて、特定の周波数サブバンドの指標を第１の通信デバイスに送信させるよう構成される。
【０１２４】
複数の他の実施形態において、第１の通信デバイスはまた、複数の以下の特徴のうちの１または複数のものの任意の適切な組み合せを含む。
【０１２５】
パワーレベルルールは、複数の連続するトレーニングパケットの各々に対して同じパワーレベルを使用する第２の複数のＲＦチェーンの各々に対応する。
【０１２６】
第２の複数のＲＦチェーン中の全てのＲＦチェーンのために適用されるパワーレベルの合計に対応するパワーレベルルールは、複数の連続するトレーニングパケットのそれぞれについて一定である。
【０１２７】
コントローラは、第１の通信デバイスが複数の連続するトレーニングパケットを受信することに応答して、第２の通信デバイスに向けて、特定の周波数サブバンドの指標を第１の通信デバイスに送信させるよう構成される。
【０１２８】
さらに別の実施形態において、システムは、第１の複数のアンテナ、第１の複数の無線周波数（ＲＦ）チェーン、および第１のコントローラを有する第１の通信デバイスを備える。第１のコントローラは、パワーレベルルールが第１の複数のＲＦチェーンに適用される間、各周波数サブバンドにおいて複数の連続するトレーニングパケットを第１の複数のＲＦチェーンを介して第１の通信デバイスに送信させるよう構成される。当該システムはまた、第２の複数のアンテナ、第２の複数の無線周波数（ＲＦ）チェーン、および第２のコントローラを有する第２の通信デバイスを備える。第２のコントローラは、第２の複数のＲＦチェーンを介して受信される複数の連続するトレーニングパケットに対応する各チャネル測定をパワーレベルルールに基づいて決定し、各チャネル測定に基づいて特定の周波数サブバンドを選択し、第１の通信デバイスに向けて、特定の周波数サブバンドの指標を第２の通信デバイスに送信させるよう構成される。
【０１２９】
複数の他の実施形態において、当該システムはまた、複数の以下の特徴のうちの１または複数のものの任意の適切な組み合せを含む。
【０１３０】
パワーレベルルールは、複数の連続するトレーニングパケットの各々に対して同じパワーレベルを使用する第１の複数のＲＦチェーンの各々に対応する。
【０１３１】
第１の複数のＲＦチェーン中の全てのＲＦチェーンのために適用されるパワーレベルの合計に対応するパワーレベルルールは、複数の連続するトレーニングパケットのそれぞれについて一定である。
【０１３２】
当該第１のコントローラは、第２の通信デバイスから周波数サブバンドの指標を受信することに応答して第２の通信デバイスに送信するときに第１の通信デバイスに特定の周波数サブバンドを使用させるよう構成される。
【０１３３】
第２のコントローラは、第２の通信デバイスが複数の連続するトレーニングパケットを受信することに応答して、第１の通信デバイスに向けて、特定の周波数サブバンドの指標を第２の通信デバイスに送信させるよう構成される。
【０１３４】
別の実施形態において、方法は、多入力多出力（ＭＩＭＯ）システムにおいて使用するために、複数の周波数サブバンドの中から一の周波数サブバンドを選択するためのものである。ここで、通信は、第１の複数のアンテナに連結される第１の複数の無線周波数（ＲＦ）チェーンを有する第１の通信デバイスと、第２の複数のアンテナに連結される第２の複数のＲＦチェーンを有する第２の通信デバイスとの間で行われる。当該方法は、各周波数サブバンドにおいて第１の通信デバイスによって送信された複数の連続するトレーニングパケットであり、第１の通信デバイスにおいて第１の複数のＲＦチェーンにパワーレベルルールを適用することによって第１の通信デバイスにおいて生成された複数の連続するトレーニングパケット、を第２の通信デバイスにおいて受信する段階と、パワーレベルルールに基づいて複数の連続するトレーニングパケットに対応する各チャネル測定を第２の通信デバイスにおいて決定する段階と、第１の通信デバイスに各チャネル測定を第２の通信デバイスで送信する段階と、を含む。
【０１３５】
複数の他の実施形態において、当該方法はまた、複数の以下の特徴のうちの１または複数のものの任意の適切な組み合せを含む。
【０１３６】
パワーレベルルールは、複数の連続するトレーニングパケットの各々に対して同じパワーレベルを使用する第１の複数のＲＦチェーンの各々に対応する。
【０１３７】
第１の複数のＲＦチェーン中の全てのＲＦチェーンのために適用されるパワーレベルの合計に対応するパワーレベルルールは、複数の連続するトレーニングパケットのそれぞれについて一定である。
【０１３８】
さらに別の実施形態において、第１の通信デバイスは第１の複数のアンテナに連結される第１の複数の無線周波数（ＲＦ）チェーンと、コントローラとを備える。当該コントローラは、第１の複数のＲＦチェーンを介して受信される複数の連続するトレーニングパケットであり、ｉ）各周波数サブバンドにおいて第２の複数のアンテナを有する第２の通信デバイスによって送信され、ｉｉ）第２の通信デバイスにおいて、第２の通信デバイスの第２の複数のＲＦチェーンにパワーレベルルールを適用することによって第２の通信デバイスにおいて生成された複数の連続するトレーニングパケット、に対応する各チャネル測定をパワーレベルルールに基づいて決定し、第２の通信デバイスに向けて、各チャネル測定を第１の通信デバイスに送信させるよう構成される。
【０１３９】
複数の他の実施形態において、第１の通信デバイスはまた、複数の以下の特徴のうちの１または複数のものの任意の適切な組み合せを含む。
【０１４０】
パワーレベルルールは、複数の連続するトレーニングパケットの各々に対して同じパワーレベルを使用する第２の複数のＲＦチェーンの各々に対応する。
【０１４１】
第２の複数のＲＦチェーン中の全てのＲＦチェーンのために適用されるパワーレベルの合計に対応するパワーレベルルールは、複数の連続するトレーニングパケットのそれぞれについて一定である。
【０１４２】
さらに別の実施形態において、システムは、第１の複数のアンテナ、第１の複数の無線周波数（ＲＦ）チェーン、および第１のコントローラを有する第１の通信デバイスを備える。第１のコントローラは、パワーレベルルールが第１の複数のＲＦチェーンに適用される間、各周波数サブバンドにおいて複数の連続するトレーニングパケットを第１の複数のＲＦチェーンを介して第１の通信デバイスに送信させるよう構成される。当該システムはまた、第２の複数のアンテナ、第２の複数の無線周波数（ＲＦ）チェーン、および第２のコントローラを有する第２の通信デバイスを備える。第２のコントローラは、第２の複数のＲＦチェーンを介して受信される複数の連続するトレーニングパケットに対応する各チャネル測定をパワーレベルルールに基づいて決定し、複数の第１の通信デバイスに向けて、各チャネル測定を第２の通信デバイスに送信させるよう構成される。
【０１４３】
複数の他の実施形態において、当該システムはまた、複数の以下の特徴のうちの１または複数のものの任意の適切な組み合せを含む。
【０１４４】
パワーレベルルールは、複数の連続するトレーニングパケットの各々に対して同じパワーレベルを使用する第１の複数のＲＦチェーンの各々に対応する。
【０１４５】
第１の複数のＲＦチェーン中の全てのＲＦチェーンのために適用されるパワーレベルの合計に対応するパワーレベルルールは、複数の連続するトレーニングパケットのそれぞれについて一定である。
【０１４６】
第１のコントローラは、各チャネル測定に基づいて特定の周波数サブバンドを選択し、特定の周波数サブバンドを選択することに応答して第２の通信デバイスに送信するときに第１の通信デバイスに特定の周波数サブバンドを使用させるよう構成される。
【０１４７】
上述された様々なブロック、動作、および技術のうちの少なくともいくつかのものは、ハードウェア、プロセッサ実行ファームウェア命令、プロセッサ実行ソフトウェア命令、若しくはハードウェアの任意の組み合わせにおいて、および、プロセッサ実行ファームウェアおよび／またはソフトウェアの命令において実装され得る。プロセッサ実行ソフトウェアおよび／またはファームウェア命令を使用して実装される場合、ソフトウェアまたはファームウェアの命令は、磁気ディスク、光ディスク、ＲＡＭ、ＲＯＭ、フラッシュメモリ、テープドライブ等のような任意の有体の非一時的なコンピュータ可読媒体単体または複数の媒体において格納され得る。ソフトウェアまたはファームウェアは、１または複数のプロセッサに様々な動作を実行させることが可能な複数のマシン可読命令を含み得る。
【０１４８】
ハードウェアにおいて実装される場合、ハードウェアは、別個のコンポーネント、集積回路、特定用途向け集積回路（ＡＳＩＣ）、プログラマブルロジックデバイス（ＰＬＤ）等のうちの１または複数を備え得る。
【０１４９】
本発明は、例示的であることのみが意図され、本発明を限定することは意図されない複数の特定の例を参照して説明されてきたが、本発明の趣旨および範囲から逸脱することなく、複数の開示された実施形態に対して複数の変更、追加または削除が、明確に上述されたものに加えて成され得ることが当業者には明らかだろう。
【図１】
0006745018.tif 000018
【図２】
0006745018.tif 000019
【図３】
0006745018.tif 000020
【図４】
0006745018.tif 000021
【図５】
0006745018.tif 000022
【図６】
0006745018.tif 000023
【図７Ａ】
0006745018.tif 000024
【図７Ｂ】
0006745018.tif 000025
【図７Ｃ】
0006745018.tif 000026
【図７Ｄ】
0006745018.tif 000027
【図７Ｅ】
0006745018.tif 000028
【図７Ｆ】
0006745018.tif 000029